(57)【要約】【課題】応答信号のための伝送リソース割当方法、応答信号のフィードバック方法及び応答信号の処理方法を提供する。【解決手段】応答信号のための伝送リソース割当方法は、目下応答信号を送信する必要がある移動局のリストを決定するステップと、各移動局によって送信される必要がある応答信号の数を決定するステップと、応答信号を送信するよう各移動局について周波数領域シーケンス及び時間領域シーケンスを割り当てるステップとを有する。同じ周波数領域シーケンスを割り当てられた複数の移動局について、複数の応答信号群を送信する必要がある移動局へ割り当てられている時間領域シーケンスは、移動局の複数の応答信号群を送信するために夫々使用される複数のサブシーケンスに分割され、これら複数のサブシーケンスに対応する異なる移動局の時間領域シーケンスの部分は、夫々互いに直交する。【選択図】図５
2010045786.tif 000002
【特許請求の範囲】
【請求項１】
応答信号のための伝送リソース割当方法であって、
目下応答信号を送信する必要がある移動局のリストを決定するステップと、
各移動局によって送信される必要がある応答信号の数を決定するステップと、
前記応答信号を送信するよう各移動局について周波数領域シーケンス及び時間領域シーケンスを割り当てるステップと
を有し、
同じ周波数領域シーケンスを割り当てられた複数の移動局について、
複数の応答信号群を送信する必要がある移動局へ割り当てられている時間領域シーケンスは、当該移動局の前記複数の応答信号群を夫々送信するために使用される複数のサブシーケンスに分割され、
前記複数のサブシーケンスに対応する異なる移動局の時間領域シーケンスの部分は、夫々互いに直交する、方法。
【請求項２】
前記周波数領域シーケンスは、異なる周期時間シフトを有するＣＡＺＡＣシーケンスを有する、請求項１記載の方法。
【請求項３】
前記同じ周波数領域シーケンスを割り当てられた移動局が、２ビットの応答信号を含む１つの応答信号群を有する第１の移動局と、夫々１ビットの応答信号を有する第２及び第３の移動局とを有する場合に、
前記時間領域シーケンスは、４×４のアダマール行列
【数８】
2010045786.tif 000016
からであり、
前記アダマール行列のいずれかの行ベクトルを前記第１の移動局へ割り当てると、当該行ベクトルの第１のハーフサブベクトルは前記第１の移動局の前記応答信号群にある応答信号の第１ビットへ割り当てられ、当該行ベクトルの第２のハーフサブベクトルは該応答信号の第２ビットへ割り当てられ、
前記第１の移動局へ割り当てられた前記行ベクトルとは異なる前記アダマール行列の行ベクトルを前記第２の移動局へ割り当てると、該第２の移動局へ割り当てられた当該行ベクトルの第１及び第２のハーフサブベクトルは、夫々、前記第１の移動局へ割り当てられた前記行ベクトルの対応する部分に直交し、
前記第１の移動局及び前記第２の移動局へ割り当てられた前記行ベクトルとは異なる前記アダマール行列の行ベクトルを前記第３の移動局へ割り当てると、該第３の移動局へ割り当てられた当該行ベクトルの第１及び第２のハーフサブベクトルは、前記第１の移動局へ割り当てられた前記行ベクトルの対応する部分に直交する、請求項１記載の方法。
【請求項４】
前記同じ周波数領域シーケンスを割り当てられた移動局が、２ビットの応答信号を含む１つの応答信号群を有する第１の移動局と、２ビットの応答信号を含む１つの応答信号群を有する第２の移動局とを有する場合に、
前記時間領域シーケンスは、４×４のアダマール行列
【数９】
2010045786.tif 000017
からであり、
前記アダマール行列のいずれかの行ベクトルを前記第１の移動局へ割り当てると、当該行ベクトルの第１のハーフサブベクトルは前記第１の移動局の前記応答信号群にある応答信号の第１ビットへ割り当てられ、当該行ベクトルの第２のハーフサブベクトルは該応答信号の第２ビットへ割り当てられ、
前記第１の移動局へ割り当てられた前記行ベクトルとは異なる前記アダマール行列の他の行ベクトルを前記第２の移動局へ割り当てると、当該他の行ベクトルの第１のハーフサブベクトルは前記第２の移動局の前記応答信号群にある応答信号の第１ビットへ割り当てられ、当該他の行ベクトルの第２のハーフサブベクトルは該応答信号の第２ビットへ割り当てられ、当該他の行ベクトルの前記第１及び第２のハーフサブベクトルは、前記第１の移動局へ割り当てられた前記行ベクトルの対応する部分に直交する、請求項１記載の方法。
【請求項５】
１よりも多い応答信号を含む応答信号群の応答信号に対して変調を行うステップと、
変調された前記応答信号を、対応する周波数領域シーケンス及び時間領域シーケンスへマッピングするステップと
を更に有する請求項１記載の方法。
【請求項６】
１つの応答信号群を有する移動局がオン−オフ・キーイングにより前記応答信号を送信する場合に、
前記応答信号群に含まれる応答信号のいずれかのビットがデータパッケージの成功した復号化を表すならば、前記応答信号の当該いずれかのビットを送信するためにデータは対応する２つのＯＦＤＭシンボルで送信されず、
前記応答信号群に含まれる応答信号のいずれかのビットが前記データパッケージの不成功の復号化を表すならば、割り当てられている前記周波数領域シーケンス及び前記時間領域シーケンスのサブベクトルに従って前記応答信号の当該いずれかのビットを送信するためにデータは前記２つのＯＦＤＭシンボルで送信される、請求項５記載の方法。
【請求項７】
前記応答信号を送信する必要がある全ての移動局にシーケンスを割り当てる場合に、前記時間領域シーケンスは各移動局へ等しく割り当てられ、各時間領域シーケンスは実質上同じ時間に割り当てられる、請求項６記載の方法。
【請求項８】
応答信号のフィードバック方法であって、
応答信号を送信するために周波数領域シーケンス及び時間領域シーケンスを決定するステップと、
前記時間領域シーケンスで前記応答信号を送信するために使用されることを許可されるサブシーケンスを決定するステップと、
前記応答信号を送信するための前記周波数領域シーケンス及び前記決定されたサブシーケンスを使用することによって前記応答信号を送信するステップと
を有する方法。
【請求項９】
データパッケージの不成功の復号化を表す信号を決定するステップを更に有し、
前記応答信号の送信において、該応答信号を送信するための前記周波数領域シーケンス及び前記決定されたサブシーケンスは、前記データパッケージの前記不成功の復号化を表す前記信号のみを送信するために使用される、請求項８記載の方法。
【請求項１０】
前記応答信号を複数の応答信号群にグループ化するステップを更に有し、
前記応答信号群の数は、前記応答信号を送信するために使用されることを許可される前記時間領域シーケンスの前記サブシーケンスの数に等しく、
前記応答信号の送信において、前記複数の応答信号群は、異なるサブシーケンス及び周波数領域シーケンスを使用することによって送信される、請求項９記載の方法。
【請求項１１】
１よりも多い応答信号を有する前記応答信号群の応答信号に対して変調を行うステップと、
前記変調された信号を、対応する周波数領域シーケンス及び時間領域シーケンスへマッピングするステップと
を更に有する請求項１０記載の方法。
【請求項１２】
前記周波数領域シーケンスは、異なる周期時間シフトを有するＣＡＺＡＣシーケンスを有する、請求項８記載の方法。
【請求項１３】
１つの応答信号群を有する移動局がオン−オフ・キーイングにより前記応答信号を送信する場合に、
前記応答信号群に含まれる応答信号のいずれかのビットがデータパッケージの成功した復号化を表すならば、前記応答信号の当該いずれかのビットを送信するためにデータは対応する２つのＯＦＤＭシンボルで送信されず、
前記応答信号群に含まれる応答信号のいずれかのビットが前記データパッケージの不成功の復号化を表すならば、割り当てられている前記周波数領域シーケンス及び前記時間領域シーケンスのサブベクトルに従って前記応答信号の当該いずれかのビットを送信するためにデータは前記２つのＯＦＤＭシンボルで送信される、請求項８乃至１２のうちいずれか一項記載の方法。
【請求項１４】
応答信号の処理方法であって、
前記応答信号の数を決定するステップと、
各応答信号に対応するＯＦＤＭシンボルを対応する時間領域シーケンスと関連付けるステップと、
前記対応する時間領域シーケンスとの関連付けの後に得られるシーケンスを、周波数領域で前記応答信号に対応する周波数領域シーケンスと関連付けるステップと、
前記応答信号の内容を決定するよう、前記周波数領域での関連付けの後に得られる相関値を所定の閾値と比較するステップと
を有する方法。
【請求項１５】
前記周波数領域シーケンスは、異なる周期時間シフトを有するＣＡＺＡＣシーケンスを有する、請求項１４記載の方法。
【発明の詳細な説明】
【技術分野】
【０００１】
本発明は、無線通信システムに関し、より具体的には、無線通信システムにおける応答信号のための伝送リソース割当方法、フィードバック方法及び処理方法に関する。
【背景技術】
【０００２】
無線通信システムでは、基地局は、１又はそれ以上の加入者へ／から同時にデータを送信／受信することができる。一般に、基地局から加入者への通信リンクはダウンリンクと呼ばれており、加入者から基地局への通信リンクはアップリンクと呼ばれている。アップリンクでは、加入者は、ダウンリンクでのデータ伝送をサポートするように、例えば、帯域幅を要求するための帯域幅要求信号や、ダウンリンクデータパッケージのための確認応答信号等のアップリンク制御信号を送信する必要がある。システム設計においては、システムのスペクトル効率を改善するように可能な限りアップリンクで送信されるアップリンク制御信号のオーバーヘッドを低減する方法を考えることが必要とされる。
【０００３】
ダウンリンクデータパッケージのための確認応答信号は、アップリンク制御信号の一種であり、基地局と移動局との間の通信で使用される。それは２つの状態、すなわちＡＣＫ及びＮＡＣＫを有する。図１に示されるように、基地局と移動局との間のデータ送信処理が表されている。最初に、処理はステップＳ１１から始まり、基地局はステップＳ１２でダウンリンクを介して移動局へデータを送信する。次いで、加入者は、ステップＳ１３でデータを受信して復号化し、ステップＳ１４でその復号化が正確であるかどうかを判断する。復号化が正確である場合は、ステップＳ１５で、移動局は、復号化が成功したことを示すＡＣＫの制御信号を基地局へ送信する。基地局は、ステップＳ１６で新しいデータパッケージを移動局へ送信してよく、かかるデータ送信のフローはステップＳ１９で終了する。
【０００４】
他方で、ステップＳ１４で復号化が正確でないと判断される場合は、ステップＳ１７で、移動局は、データパッケージの復号化が失敗したことを示すＮＡＣＫの制御信号を基地局へ送信する。基地局は、ステップＳ１８で、以前に送信したデータを再送信する。次いで、処理はステップＳ１３へ戻り、加入者は再びデータを受信し始める。
【０００５】
上記から明らかであるように、ダウリンクデータパッケージのための確認応答信号は、本質的に、成功したデータ復号化（ＡＣＫ）又は不成功のデータ復号化（ＮＡＣＫ）を表す制御信号である。簡単な説明のために、ダウンリンクデータパッケージのための確認応答信号は、以降で、これが如何なる曖昧さも招かない限りは、応答信号又はＡＣＫ信号と略記され得る。
【０００６】
基地局によって割り当てられる固定リソースがアップリンクＡＣＫ信号の送信に使用される場合に、複数の加入者のＡＣＫ信号は様々なアプローチを通してマルチプレックスで送信されてよい。かかる様々なアプローチには、例えば、複数の加入者が異なる時間リソースを占有する時分割マルチプレックス（ＴＭＤ）複数の加入者が異なる周波数リソースを占有する周波数分割マルチプレックス（ＦＤＭ）、及び複数の加入者が異なる符号語リソースを占有する符号分割マルチプレックス（ＣＤＭ）が含まれる。ＴＤＭ及びＦＤＭと比べて、ＣＤＭのリソース割当アプローチを用いることは、割当可能なリソースをより有効に提供し且つアップリンク制御信号のビットエラーレートにおいてより良い性能を提供することができ、このようにして今日の無線通信システムで幅広く適用されている。例えば、３ＧＰＰのロングタームエボリューション（ＬＴＥ（Long  Term  Evolution））システムは、アップリンクＡＣＫチャネルのための周波数領域マルチプレックスアプローチとしてＣＤＭを取るよう定められている。
【０００７】
割り当てられた固定リソースで可能な限り多くのアップリンク制御信号を送信するよう、ＬＴＥは、また、時間領域スペクトラム拡散アプローチを用いる。時間領域スペクトラム拡散アプローチでは、各加入者のＡＣＫビットは周波数領域シーケンス及び時間領域シーケンスにより一意に表され、複数の加入者のＡＣＫビットは、異なる周波数領域及び／又は時間領域のシーケンスを有して同じリソース上で多重化され、次いで、同時に送信され得る。
【０００８】
図２は、アップリンクＡＣＫシーケンスのための典型的なマルチプレックスアプローチを表す。図２で、各サブフレームは７個の直交周波数分割多重化（ＯＦＤＭ（Orthogonal  Frequency  Division  Multiplexing））シンボルを有する。中間の３個のＯＦＤＭシンボルは複数の加入者のパイロット信号を送信するために使用され、残りの４個のシンボルは複数の加入者のＡＣＫ信号を送信するために使用される。
【０００９】
ＣＡＺＡＣ（Constant  Amplitude  Zero  Auto  Correlation）シーケンスは、ＡＣＫ信号又はパイロット信号のための周波数領域シーケンスとして使用されてよい。ＣＡＺＡＣシーケンスは下記において特徴付けられる。１）一定振幅、すなわち、各ＣＡＺＡＣシーケンスの各エレメントは同じ振幅値を有する。２）零周期自己相関、すなわち、異なる周期時間シフトを有するＣＡＺＡＣシーケンスは零相関を有する。ＣＡＺＡＣシーケンスは、例えば、ＺＣ（Zadoff-Chu）シーケンスや、ＧＣＬ（General  Chirp-like）シーケンス等のシーケンスを有し、その夫々のシーケンス記述は、非特許文献１（Ghosh.A、Ratasuk.R、「Uplink  control  channel  design  for  3GPP  LTE」、IEEE  PIMRC  2007）を参照することにより得られる。
【００１０】
ここで、例示のため、ＺＣシーケンスについて記載する。ＺＣシーケンスの式は：
【数１】
2010045786.tif 000003
と表され得る。ここで、Ｍはシーケンス長であり、ｌは任意の整数であり、Ｍ及びｌは互いに対して素数である。
【００１１】
図２で、Ｆ−１はＩＦＦＴ演算を表し、ＡＣＫビットの時間領域シーケンスはｗ０−ｗ３と表される。アダマール行列におけるベクトルは時間領域シーケンスとして使用されてよい。４×４のアダマール行列は、
【数２】
2010045786.tif 000004
と表され得る。ｗ０−ｗ３の値はアダマール行列の行ベクトルである。すなわち、第１の行ベクトルが時間領域シーケンスとして選択される場合は、ｗ０−ｗ３＝［１，１，１，１］である。アダマール行列の4つの行ベクトルは夫々インデックス番号を割り当てられる。すなわち、時間領域シーケンス１はシーケンス［１，１，１，１］に対応し、時間領域シーケンス２はシーケンス［１，−１，１，−１］に対応し、以下同様である。
【００１２】
ＡＣＫ信号に使用されるリソースは、周波数領域で連続又は不連続のサブキャリアであってよい。例えば、連続するサブキャリアがリソースとして割り当てられ、かかるリソースが図３に示されるように直交周波数分割多重化（ＯＦＤＭ）シンボルの境界にあるとする。１２個の連続するサブキャリアが周波数領域で使用される場合は、理論上は、ＡＣＫビットを送信するための周波数領域シーケンスとして、異なる時間シフトを有する１２のＺＣシーケンスが存在しうる。しかし、実際には、ＺＣシーケンスは、一般に、干渉を低減すべく全てのＺＣシーケンスの中から２時間シフトごとに取られる。これにより、６個の利用可能な周波数領域シーケンスが存在する。
【００１３】
時間領域では、３個のＯＦＤＭシンボルがパイロットシンボルとして使用され、残りの４個のシンボルはデータシンボルとして使用される。一般に、パイロット信号は、各加入者のチャネルを評価するために使用される。ＡＣＫ信号と同様に、各加入者のパイロット信号は、また、周波数領域シーケンス及び時間領域シーケンスに対応する。
【００１４】
パイロットの点においては、３つの時間領域シーケンスが存在し、よって、同時に送信され得るＡＣＫビットの数は６×３＝１８である。データの点においては、占有される時間領域ＯＦＤＭシンボルの数は４であり、異なる周期時間シフトを有する６個のＺＣシーケンスが周波数領域シーケンスとして使用されるから、同時に送信され得る１ビットＡＣＫ信号の数は６×４＝２４である。パイロットとＡＣＫデータとの間の１対１の対応関係により、同時に送信され得るＡＣＫ信号の数は最大値（すなわち、１８）でしかあり得ない。リソース割当手法は表１によって表され得る。
【表１】
2010045786.tif 000005
【００１５】
表１で、加入者１に割り当てられる時間領域及び周波数領域のシーケンスのインデックスは（１，１）であり、加入者２に割り当てられる時間領域及び周波数領域のシーケンスのインデックスは（１，３）である。全体として１８の加入者が同時に１ビットのＡＣＫ信号を送信することができる。各加入者によって送信されるＡＣＫ信号は、異なる時間領域シーケンス及び／又は異なる周波数領域シーケンスを占有する。
【００１６】
複数の加入者によって同時に送信されたＡＣＫ信号の受信後、基地局は、図４に示されるような典型的な受信方法を用いる。基地局が或る加入者ｋのＡＣＫ信号を受信する場合を例として、以下、基地局の受信処理について記載する。図４に示されるように、複数の加入者の多重ＡＣＫデータを受信した後、基地局は、ステップＳ４１で、受信したＯＦＤＭシンボルの夫々に、加入者ｋの時間領域シーケンス（Ｗ０，ｗ１，ｗ２，ｗ３）を乗じて、結果として得られたシーケンスを合算し、次いで、ステップＳ４２で、結果として得られたシーケンスに対してＦＦＴ演算を実行する。次いで、ステップＳ４３で、基地局は、無線チャネルの影響を除くよう予め加入者のパイロットから得られたチャネル推定値に従って結果として得られたシーケンスに対して均等化を行い、次いで、ステップＳ４４で、結果として得られたシーケンスを加入者ｋに対応する周波数領域シーケンスｐ（ｎ）と関連付ける処理を行う。最後に、ステップＳ４５で、基地局は、ステップＳ４４で得られた結果を所定の閾値と比較する。結果が閾値より大きい場合は、それは、ＮＡＣＫ信号が加入者ｋによって送信されたことを意味する。結果が閾値より小さい場合は、それは、ＡＣＫ信号が加入者ｋによって送信されたことを意味する。
【先行技術文献】
【非特許文献】
【００１７】
【非特許文献１】Ghosh.A、Ratasuk.R、「Uplink  control  channel  design  for  3GPP  LTE」、IEEE  PIMRC  2007
【発明の概要】
【発明が解決しようとする課題】
【００１８】
上記の場合は、各加入者が唯１つのＡＣＫ信号（すなわち、１個のＡＣＫビット）をフィードバックする場合である。しかし、多くの場合に、システム内の幾人かの加入者は、例えば、ＭＣＷ（Multi-Codewords）−ＭＩＭＯ（Multiple  Input  Multiple  Output）システム又は時分割デュプレックス（ＴＤＤ（Time  Division  Duplexing））システム等における場合のように、同時に複数ビットのＡＣＫ信号をフィードバックする必要がある。幾人かの加入者が同時に複数ビットのＡＣＫ信号をフィードバックする必要がある場合に、システム内でアップリンクＡＣＫビットに対応する時間領域シーケンス及び周波数領域シーケンスを柔軟に割り当てる方法は、興味の的となりつつある。
【００１９】
以上より、本発明は、無線通信システムにおける応答信号のための伝送リソース割当方法、フィードバック方法及び処理方法を提案する。
【課題を解決するための手段】
【００２０】
本発明に従う方法は、例えば、直交周波数分割多重アドレッシング（ＯＦＤＭＡ）システムや、単一キャリア周波数分割多重アドレッシング（ＳＣ−ＦＤＭＡ）システム等のＯＦＤＭ技術を用いる多重キャリア又は単一キャリア通信システムに適用可能である。
【００２１】
本発明の側面に従って、応答信号のための伝送リソース割当方法であって、目下応答信号を送信する必要がある移動局のリストを決定するステップと、各移動局によって送信される必要がある応答信号の数を決定するステップと、前記応答信号を送信するよう各移動局について周波数領域シーケンス及び時間領域シーケンスを割り当てるステップとを有し、同じ周波数領域シーケンスを割り当てられた複数の移動局について、複数の応答信号群を送信する必要がある移動局へ割り当てられている時間領域シーケンスは、当該移動局の前記複数の応答信号群を夫々送信するために使用される複数のサブシーケンスに分割され、前記複数のサブシーケンスに対応する異なる移動局の時間領域シーケンスの部分は、夫々互いに直交する、方法が提供される。前記応答信号は、データパッケージの成功した復号化を表す信号又はデータパッケージの不成功の復号化を表す信号である。
【００２２】
本発明の実施形態に従って、前記同じ周波数領域シーケンスを割り当てられた移動局が、２ビットの応答信号を含む１つの応答信号群を有する第１の移動局と、夫々１ビットの応答信号を有する第２及び第３の移動局とを有する場合に、前記時間領域シーケンスは、４×４のアダマール行列
【数３】
2010045786.tif 000006
からであり、
前記アダマール行列のいずれかの行ベクトルを前記第１の移動局へ割り当てると、当該行ベクトルの第１のハーフサブベクトルは前記第１の移動局の前記応答信号群にある応答信号の第１ビットへ割り当てられ、当該行ベクトルの第２のハーフサブベクトルは該応答信号の第２ビットへ割り当てられ、
前記第１の移動局へ割り当てられた前記行ベクトルとは異なる前記アダマール行列の行ベクトルを前記第２の移動局へ割り当てると、該第２の移動局へ割り当てられた当該行ベクトルの第１及び第２のハーフサブベクトルは、夫々、前記第１の移動局へ割り当てられた前記行ベクトルの対応する部分に直交し、
前記第１の移動局及び前記第２の移動局へ割り当てられた前記行ベクトルとは異なる前記アダマール行列の行ベクトルを前記第３の移動局へ割り当てると、該第３の移動局へ割り当てられた当該行ベクトルの第１及び第２のハーフサブベクトルは、前記第１の移動局へ割り当てられた前記行ベクトルの対応する部分に直交する。
【００２３】
本発明の他の実施形態に従って、前記同じ周波数領域シーケンスを割り当てられた移動局が、２ビットの応答信号を含む１つの応答信号群を有する第１の移動局と、２ビットの応答信号を含む１つの応答信号群を有する第２の移動局とを有する場合に、前記時間領域シーケンスは、４×４のアダマール行列
【数４】
2010045786.tif 000007
からであり、
前記アダマール行列のいずれかの行ベクトルを前記第１の移動局へ割り当てると、当該行ベクトルの第１のハーフサブベクトルは前記第１の移動局の前記応答信号群にある応答信号の第１ビットへ割り当てられ、当該行ベクトルの第２のハーフサブベクトルは該応答信号の第２ビットへ割り当てられ、
前記第１の移動局へ割り当てられた前記行ベクトルとは異なる前記アダマール行列の他の行ベクトルを前記第２の移動局へ割り当てると、当該他の行ベクトルの第１のハーフサブベクトルは前記第２の移動局の前記応答信号群にある応答信号の第１ビットへ割り当てられ、当該他の行ベクトルの第２のハーフサブベクトルは該応答信号の第２ビットへ割り当てられ、当該他の行ベクトルの前記第１及び第２のハーフサブベクトルは、前記第１の移動局へ割り当てられた前記行ベクトルの対応する部分に直交する。
【００２４】
更に、前記応答信号群が１よりも多い応答信号を含む場合に、変調は、１よりも多い応答信号を有する前記応答信号群の応答信号に対して行われ、変調された応答信号は、対応する周波数領域シーケンス及び時間領域シーケンスへマッピングされる。
【００２５】
本発明の好ましい実施形態に従って、各応答信号群は２ビットの応答信号を有し、該２ビットの応答信号は、オン−オフ・キーイングにより１ビットのＱＰＳＫシンボルへと変調される。
【００２６】
１つの応答信号群を有する移動局がオン−オフ・キーイングにより前記応答信号を送信する場合に、
前記応答信号群に含まれる応答信号のいずれかのビットがデータパッケージの成功した復号化を表すならば、前記応答信号の当該いずれかのビットを送信するためにデータは対応する２つのＯＦＤＭシンボルで送信されず、
前記応答信号群に含まれる応答信号のいずれかのビットが前記データパッケージの不成功の復号化を表すならば、割り当てられている前記周波数領域シーケンス及び前記時間領域シーケンスのサブベクトルに従って前記応答信号の当該いずれかのビットを送信するためにデータは前記２つのＯＦＤＭシンボルで送信される。
【００２７】
望ましくは、前記応答信号を送信する必要がある全ての移動局にシーケンスを割り当てる場合に、前記時間領域シーケンスは各移動局へ等しく割り当てられ、各時間領域シーケンスは実質上同じ時間に割り当てられる。
【００２８】
本発明の他の側面に従って、応答信号のフィードバック方法であって、応答信号を送信するために周波数領域シーケンス及び時間領域シーケンスを決定するステップと、前記時間領域シーケンスで前記応答信号を送信するために使用されることを許可されるサブシーケンスを決定するステップと、前記応答信号を送信するための前記周波数領域シーケンス及び前記決定されたサブシーケンスを使用することによって前記応答信号を送信するステップとを有する方法が提供される。
【００２９】
本発明の好ましい実施形態に従う応答信号のフィードバック方法は、データパッケージの不成功の復号化を表す信号を決定するステップを更に有する。前記応答信号を送信するステップで、該応答信号を送信するための前記周波数領域シーケンス及び前記決定されたサブシーケンスは、前記データパッケージの前記不成功の復号化を表す前記信号のみを送信するために使用される。
【００３０】
望ましくは、前記応答信号は複数の応答信号群にグループ化され、該応答信号群の数は、前記応答信号を送信するために使用されることを許可される前記時間領域シーケンスの前記サブシーケンスの数に等しい。前記応答信号を送信するステップで、前記複数の応答信号群は、異なるサブシーケンス及び周波数領域シーケンスを使用することによって送信される。
【００３１】
更に、前記応答信号群が１よりも多い応答信号を有する場合に、変調は、１よりも多い応答信号を有する前記応答信号群の応答信号に対して行われ、前記変調された信号は、対応する周波数領域シーケンス及び時間領域シーケンスへマッピングされる。
【００３２】
１つの応答信号群を有する移動局がオン−オフ・キーイングにより前記応答信号を送信する場合に、
前記応答信号群に含まれる応答信号のいずれかのビットがデータパッケージの成功した復号化を表すならば、前記応答信号の当該いずれかのビットを送信するためにデータは対応する２つのＯＦＤＭシンボルで送信されず、
前記応答信号群に含まれる応答信号のいずれかのビットが前記データパッケージの不成功の復号化を表すならば、割り当てられている前記周波数領域シーケンス及び前記時間領域シーケンスのサブベクトルに従って前記応答信号の当該いずれかのビットを送信するためにデータは前記２つのＯＦＤＭシンボルで送信される。
【００３３】
本発明の更なる側面に従って、応答信号の処理方法であって、前記応答信号の数を決定するステップと、各応答信号に対応するＯＦＤＭシンボルを対応する時間領域シーケンスと関連付けるステップと、前記対応する時間領域シーケンスとの関連付けの後に得られるシーケンスを、周波数領域で前記応答信号に対応する周波数領域シーケンスと関連付けるステップと、前記応答信号の内容を決定するよう、前記周波数領域での関連付けの後に得られる相関値を所定の閾値と比較するステップとを有する方法が提供される。
【００３４】
望ましくは、前記相関値が前記閾値より大きい場合に、前記応答信号はデータパッケージの不成功の復号化を表す信号であり、一方、前記相関値が前記閾値より小さいか又は等しい場合に、前記応答信号はデータパッケージの成功した復号化を表す信号である。
【００３５】
本発明の好ましい実施形態で、前記応答信号は、複数ビットの応答信号に対して変調を行って、変調された信号を対応する周波数領域シーケンス及び時間領域シーケンスへマッピングすることにより得られる信号である。
【００３６】
本発明の他の実施形態に従う応答信号の処理方法は、周波数領域での関連付けの前に均等化ステップを更に有する。この均等化処理は、前記応答信号を送信する移動局のパイロットから得られるチャネル推定値に従って、対応する時間領域シーケンスとの関連付けにより得られるシーケンスに対して行われる。
【００３７】
望ましくは、前記周波数領域シーケンスは、異なる周期時間シフトを有するＣＡＺＡＣ（Constant  Amplitude  Zero  Auto  Correlation）シーケンスを有する。ＣＡＺＡＣシーケンスはＺＣシーケンス及びＧＣＬシーケンスを有する。
【００３８】
更に、本発明は、また、上記の方法を実施するコンピュータプログラムを提供する。
【００３９】
更に、本発明は、また、上記の方法を実施するためのコンピュータプログラム符号が記録されている少なくともコンピュータ読出可能な媒体の形をしたコンピュータプログラムプロダクトを提供する。
【発明の効果】
【００４０】
本開示の実施形態により、無線通信システムにおける応答信号のための伝送リソース割当方法、フィードバック方法及び処理方法が提供される。
【図面の簡単な説明】
【００４１】
【図１】基地局と移動局との間のデータ送信処理を表すフローチャートである。
【図２】アップリンクＡＣＫ信号のための典型的なマルチプレックスアプローチを表す。
【図３】アップリンクＡＣＫ信号の割当てを表す図である。
【図４】先行技術における基地局のＡＣＫ信号受信及び処理工程を表すフローチャートである。
【図５】本発明の実施形態に従う応答信号のための伝送リソース割当方法のフローチャートを表す。
【図６】本発明の実施形態に従う応答信号のフィードバック方法に係るフローチャートを表す。
【図７】本発明の実施形態に従う応答信号の処理方法に係るフローチャートを表す。
【図８】本発明の実施形態に従うＡＣＫ信号送信処理に係るフローチャートを表す。
【図９】本発明の実施形態に従う２ビットのＡＣＫ信号に対する基地局の受信処理のフローチャートを表す。
【発明を実施するための形態】
【００４２】
本発明の上記及び他の目的、特徴及び利点は、添付の図面に関連して与えられる本発明の実施形態に関する以下の記載を参照することにより、より明らかとなるであろう。同一の又は対応する技術的事項又は構成要素は、図面中同一の又は対応する参照符号により表される。
【００４３】
以下、本発明の実施形態について、添付の図面を参照して記載する。留意すべきは、明りょうさのために、本発明とは無関係であって且つ／あるいは当業者に周知である構成要素及び処理の提示及び記載は図面及び明細書で除かれている点である。
【００４４】
ここで、本発明に従う応答信号のための伝送リソース割当方法、フィードバック方法及び処理方法の原理について、添付の図面、特に、図５乃至７を参照して記載する。
【００４５】
図５は、本発明の実施形態に従う応答信号のための伝送リソース割当方法のフローチャートを表す。図５に示されるように、基地局は、ステップＳ５１で、目下応答信号（すなわち、ＡＣＫ信号）を送信する必要がある移動局のリストを決定し、次いで、ステップＳ５２で、各移動局によって送信される必要があるＡＣＫ信号の数を決定する。
【００４６】
次いで、ステップＳ５３で、基地局は、ＡＣＫ信号を送信するよう各移動局について周波数領域シーケンス及び時間領域シーケンスを割り当てる。同じ周波数領域シーケンスを割り当てられた複数の移動局について、複数のＡＣＫ信号群を送信する移動局へ割り当てられている時間領域シーケンスは、この移動局の複数のＡＣＫ信号群を夫々送信するために使用されるよう複数のサブシーケンスに分割される。ここで、これら複数のサブシーケンスに対応する異なる移動局の時間領域シーケンスの部分は、夫々互いに直交する。
【００４７】
次いで、ステップＳ５４で、基地局は、応答信号を送信する必要がある全ての移動局が伝送リソースを割り当てられているかどうかを判断する。割当てが完了してない場合は、処理はステップＳ５３に戻り、基地局は伝送リソースの割当てを続ける。
【００４８】
伝送リソースの割当てが完了したとステップＳ５４で決定される場合は、基地局は、ステップＳ５５で、各移動局に割り当てられる周波数領域シーケンス及び時間領域シーケンスを夫々の移動局へ送信し、それによって、応答信号の伝送リソース割当処理を完了する。
【００４９】
伝送リソースを各移動局へ送信する前に、ＡＣＫ信号群が複数のＡＣＫ信号を有する場合は、１よりも多いＡＣＫ信号を有するＡＣＫ信号群を変調して、この変調された信号を、割り当てられている周波数領域シーケンス及び時間領域シーケンスにマッピングすることが必要とされる。例えば、２ビットのＡＣＫ信号を有するＡＣＫ信号群について、２ビットのＡＣＫ信号は、オン−オフ・キーイングにより１ビットのＱＰＳＫ信号へと変調され得る。
【００５０】
留意すべきは、ＡＣＫ信号を送信する全ての移動局にシーケンスを割り当てる場合に、時間領域シーケンスは各移動局に等しく割り当てられ且つ各時間領域シーケンスは実質上同じ時間に割り当てられることが好ましい点である。
【００５１】
ＡＣＫ信号を送信するための割り当てられた周波数領域シーケンス及び時間領域シーケンスを基地局から受信した後、図６に示されるように、移動局は、割り当てられている伝送リソースを使用することによりＡＣＫ信号のフィードバック処理を実行する。図６は、本発明の実施形態に従う応答信号のフィードバック方法に係るフローチャートを表す。
【００５２】
図６で、移動局は、ステップＳ６１で、ＡＣＫ信号送信のために基地局によって割り当てられた周波数領域シーケンス及び時間領域シーケンスを受信し、次いで、ステップＳ６２で、ＡＣＫ信号送信に使用されることを許す時間領域シーケンスのサブシーケンスを決定する。最後に、ステップＳ６３で、移動局は、ＡＣＫ信号送信のために決定されたサブシーケンス及び周波数領域シーケンスを使用することによりＡＣＫ信号を送信する。
【００５３】
更に、ステップＳ６３の前に、移動局は、また、データパッケージの不成功の復号化を表す信号を決定する。その場合に、ステップＳ６３で、移動局は、ＡＣＫ信号送信のために周波数領域シーケンス及び決定されたサブシーケンスを使用することにより、データパッケージの不成功の復号化を表す信号のみを送信するが、データパッケージの成功した復号化を表す信号は送信しない。より具体的に、移動局がオン−オフ・キーイングによりＡＣＫ信号を送信する場合に、ＡＣＫ信号のいずれかのビットがデータパッケージの成功した復号化を表すならば、ＡＣＫ信号の当該いずれかのビットを送信するためにデータは対応する２つのＯＦＤＭシンボルで送信されず、一方、ＡＣＫ信号のいずれかのビットがデータパッケージの不成功の復号化を表すならば、割り当てられている周波数領域シーケンス及び時間領域シーケンスのサブシーケンスに従ってＡＣＫ信号の当該いずれかのビットを送信するためにデータは対応する２つのＯＦＤＭシンボルで送信される。
【００５４】
ＡＣＫ信号を送信する前に、移動局は、ＡＣＫ信号を複数のＡＣＫ信号群にグループ化する。ＡＣＫ信号群の数は、ＡＣＫ信号を送信するために使用されることを許可された時間領域シーケンスのサブシーケンスの数に等しい。ステップＳ６３で、複数のＡＣＫ信号群は、異なるサブシーケンス及び周波数領域シーケンスを使用することにより送信される。
【００５５】
同様に、ＡＣＫ信号群が複数のＡＣＫ信号を有する場合は、１よりも多いＡＣＫ信号を有するＡＣＫ信号群を変調することが必要であり、その場合に、変調された信号は、割り当てられている周波数領域シーケンス及び時間領域シーケンスにマッピングされる。
【００５６】
移動局が基地局によって割り当てられた周波数領域シーケンス及び時間領域シーケンスを使用することによりＡＣＫ信号を送信する間、基地局は、データ送信が成功したかどうかを決定するようにＡＣＫ信号を受信して処理する。図７は、本発明の実施形態に従う応答信号の処理方法に係るフローチャートを表す。
【００５７】
図７に示されるように、基地局は、ステップＳ７１で、移動局によって送信されるＡＣＫ信号の数を決定し、ステップＳ７２で、各ＡＣＫ信号に対応するＯＦＤＭシンボルを対応する時間領域シーケンスに関連付け、ステップＳ７３で、対応する時間領域シーケンスと関連付けることにより得られたシーケンスを、周波数領域でＡＣＫ信号に対応する周波数領域シーケンスと関連付ける。
【００５８】
周波数領域での関連付け及び対応する相関値の取得の後、ステップＳ７４で、基地局は、その相関値を所定の閾値と比較して、ＡＣＫ信号の内容を決定する。相関値が閾値より小さいか又は等しい場合は、ＡＣＫ信号はデータパッケージの成功した復号化を表し、処理工程は終了する。
【００５９】
他方で、相関値が閾値より大きいとステップＳ７４で決定される場合は、ＡＣＫ信号はデータパッケージの不成功の復号化を表し、処理工程はステップＳ７５に進む。ステップＳ７５で、基地局はデータパッケージの送信を再開する。
【００６０】
ここで、ＡＣＫ信号は、複数ビットのＡＣＫ信号を変調して、この変調された信号を対応する周波数領域シーケンス及び対応する時間領域シーケンスへとマッピングすることによって得られる信号であってよい。この場合に、基地局は、相応してＡＣＫ信号を復調する必要がある。
【００６１】
周波数領域での関連付けの前に均等化処理を行うことが好ましい。均等化処理は、ＡＣＫ信号を送信する移動局のパイロットから得られるチャネル推定値に従って、対応する時間領域シーケンスとの関連付けから得られるシーケンスに対して実行される。
【００６２】
本発明に従う応答信号のための伝送リソース割当方法、フィードバック方法及び処理方法の原理について、添付の図面を参照して記載してきた。以下では、移動局によって送信されるＡＣＫ信号が２ビットのＡＣＫ信号である場合を例として、本発明についてより詳細に記載する。
【００６３】
上述されるように、或る移動局の１ビットのＡＣＫ信号のアップリンク送信で、その１ビットのＡＣＫ信号は周波数領域シーケンス及び時間領域シーケンスに対応し、複数の移動局のために使用されるこれらのシーケンスは同じ時間−周波数リソースに多重化されて、同時に送信される。例えば、周波数領域シーケンスは、通常ＺＣシーケンス又はＧＣＬシーケンス等のようなＣＡＺＡＣシーケンスであってよい。時間領域シーケンスに関しては、例えばＣＡＺＡＣシーケンス及びアダマール行列のベクトル等のような多数の選択が存在しうる。ＺＣシーケンス及びアダマールシーケンスは、ここでは、本発明を詳述するよう時間領域シーケンス及び周波数領域シーケンスの具体例として使用されている。また、他のシーケンスが同様にして使用されてよい。
【００６４】
上述されるように、図２に示されるＡＣＫチャネル割当アプローチによりシーケンスを割り当てるよう、シーケンスは、加入者のＡＣＫ信号を送信するシーケンスとして６個のＺＣシーケンス及び４個のアダマールベクトルの如何なる組合せから選択されてもよい。従って、２又はそれ以上の加入者が同じ周波数領域シーケンスだが異なる時間領域シーケンスを使用する場合がある。
【００６５】
実際には、或る移動局が複数ビットのＡＣＫ信号をフィードバックする必要がある場合に、付加的な直交リソースがその移動局に割り当てられてよい。周波数領域シーケンスが変更されないままである場合に、移動局のＡＣＫ信号の各ビットは異なる時間領域シーケンスを割当てられ得る。時間領域シーケンスが変更されないままである場合に、移動局のＡＣＫ信号の各ビットは異なる周波数領域シーケンスを割り当てられ得る。確かに、時間領域シーケンス及び周波数領域シーケンスの両リソースが変更されてよい。この場合に、移動局のＡＣＫ信号の各ビットは、対応する時間領域シーケンス及び対応する周波数領域シーケンスを割り当てられる。
【００６６】
しかし、上記の解決法のどれが用いられようとも、移動局は１サブフレームの各ＯＦＤＭシンボルで同時に複数のシーケンスをフィードバックする必要があり、時間領域で重畳されているＡＣＫ信号は高いピーク対平均電力比（ＰＡＰＲ（Peak-to-Average  Power  Ration））をもたらす。ここで、ＰＡＰＲは、データ波の平均電力に対するピーク電力の比を表す。高すぎるＰＡＰＲは、動作費用及びシステム全体の効率に悪影響を及ぼしうる。例えば、周波数領域シーケンス１が1ビットのＡＣＫ信号を送信するために使用される場合に、そのＰＡＰＲは２．０４であり、周波数領域シーケンス１及び周波数領域シーケンス3が２ビットのＡＣＫ信号を送信するために使用される場合に、マルチプレックス後のＰＡＰＲは最大で３．４２でありうる。
【００６７】
上記の方法が適合されず、複数ビットのＡＣＫ信号が依然として１つの時間領域シーケンス及び１つの周波数領域シーケンスのみにより送信される場合に、その複数ビットのＡＣＫ信号は予め変調されてよい。例えば、２、３及び４ビットを有するＡＣＫ信号は夫々ＱＰＳＫ、８ＰＳＫ及び１６ＱＡＭにより変調されてよい。次いで、変調された信号は、送信のために対応する周波数領域シーケンス及び時間領域シーケンスにマッピングされる。例えば、２ビットのＡＣＫ信号を同時に送信するよう、ＱＰＳＫが変調のために使用され、データ送信のためにオン−オフ・キーイングを使用するとしたら、次の表２が得られる。
【表２】
2010045786.tif 000008
【００６８】
ここで、オン−オフ・キーイングは、送信される応答信号がＡＣＫ信号である場合にはデータは送信されず、送信される応答信号がＮＡＣＫ信号である場合には対応する時間領域シーケンス及び周波数シーケンスが送信されることを言う。従って、表２からは、ＱＰＳＫによる２ビットのＡＣＫ信号の送信において、この２ビットのＡＣＫ信号のいずれか一方がＮＡＣＫである限りは送信のために２ビットのＡＣＫ信号を１つのＱＰＳＫシンボルへと変調することが必要であり、結果として、他の加入者のＡＣＫ信号送信への干渉が生ずることが分かる。実際には、或る移動局がＡＣＫ信号送信においてＱＰＳＫ変調を使用する場合に、１ビットのＡＣＫ信号の検出と比べて、基地局は、ＱＰＳＫにより変調されたＡＣＫ信号の検出において約３ｄＢの損失を有する。
【００６９】
これを鑑み、本発明は、複数ビットのＡＣＫ信号が依然として１つの時間領域シーケンス及び１つの周波数領域シーケンスにより送信されるところの他の解決法を設計する。
【００７０】
ここで、次の場合が考えられる。第１に、ＡＣＫ信号に利用可能であるリソースは、パイロットに利用可能であるものより多い。ＡＣＫデータ信号のためのリソース割当ては、パイロット用リソースが時間領域で３つのＯＦＤＭシンボルを占有する一方で、ＡＣＫ信号の送信のためのリソースが時間領域で４つのＯＦＤＭシンボルを占有することから、比較的柔軟でありうる。第２に、時間領域シーケンスがドップラー周波数シフトによって大いに影響を受けることに起因して、時間領域シーケンスの相関関係を保つよう、基地局は、概して、同じ周波数領域シーケンス及び異なる時間領域シーケンスを複数の低速移動局に割り当てる。
【００７１】
上記の条件下で、時間領域シーケンスは、例えば、以下に示されるようなアダマール行列のベクトルを考えられる。
【数５】
2010045786.tif 000009
【００７２】
上記の４×４アダマール行列は、左から右へ２つの部分に分けられ得る。例えば、第１の行（１，１，１，１）は２つのサブベクトル（１，１）及び（１，１）に分けられてよく、第２の行（１，−１，１，−１）は２つのサブベクトル（１，−１）及び（１，−１）に分けられてよく、以下同様である。明らかなように、第１の行の２つのサブベクトル（１，１）及び（１，１）は、夫々、第２の行及び第４の行の２つの対応するサブベクトルに直交する。一般的な状態に拡張すると、この行列のいずれかのベクトルｖの２つのサブベクトルに関して、ベクトルｖの２つのサブベクトルに夫々直交するサブベクトルを有する行列の２つの他のベクトルｕ及びｗが存在しうる。上記の４×４アダマール行列に関して、対応関係は次の表３として表され得る。
【表３】
2010045786.tif 000010
【００７３】
このように、基地局は、表３に示される対応関係に従ってＡＣＫ信号を送信するよう加入者をスケジューリングすることができる。例えば、所与の時点で、基地局が、ＡＣＫ情報を同時に送信するよう加入者１、加入者２及び加入者３をスケジューリングし、加入者１は２ビットのＡＣＫ信号を送信する必要があり、加入者２及び加入者３は１ビットのＡＣＫ信号を夫々送信する必要がある場合に、この時点でのシーケンス割当ては、１）加入者がインデックス１（すなわち、（１，１，１，１））を有する時間領域シーケンスを割り当てられ、ＡＣＫ信号の第１ビットはサブベクトル（１，１）を割り当てられ、ＡＣＫ信号の第２ビットはサブベクトル（１，１）を割り当てられ、２）表３に従って、加入者２が加入者２のＡＣＫビットの送信のためにインデックス２（すなわち、（１，−１，１，−１））を有する時間領域シーケンスを割り当てられ、また３）表３に従って、加入者３が加入者３のＡＣＫビットの送信のためにインデックス４（すなわち、（１，−１，−１，１））を有する時間領域シーケンスを割り当てられるようなものであってよい。
【００７４】
このように、各加入者によって送信される夫々のＡＣＫビットに対応するシーケンスは互いに直交することが確かにされ得る。オン−オフ・キーイングによるＡＣＫ信号送信において、２ビットのＡＣＫ信号を送信するために時間領域ベクトルとしてアダマール行列のベクトルの第１行を用いることは、表４に示されるような次の場合を有しうる。
【表４】
2010045786.tif 000011
【００７５】
表４で、ｘは、信号が送信されないことを表す。図４から分かるように、対応するシーケンスは、一定のビットがＮＡＣＫ信号である場合にのみ送信される。例えば、或る移動局の２つのデータフローにおいて、第１のデータパッケージの復号化は成功したが、第２のデータパッケージの復号化は失敗であった場合に、対応する時間領域シーケンスは（ｘ，ｘ，１，１）である。この場合に、図２に示されるＡＣＫ信号送信のための４つのＯＦＤＭシンボルでは、最初の２つのシンボルは移動局の如何なるデータも送信せず、最後の２つのＯＦＤＭシンボルは第２のデータフローの対応するＮＡＣＫ信号を送信する。従って、最初の２つのＯＦＤＭシンボルに関しては、同時にＡＣＫ信号を送信する他の移動局への当該移動局の干渉は零であり、最後の２つのＯＦＤＭシンボルに関しては、他の移動局への当該移動局の干渉は、当該移動局が１ビットのＡＣＫ信号を送信する場合に発生する干渉に等しい。従って、ＡＣＫ信号が変調されてから送信される方法と比べて、本発明に従ってそのように設計された方法は、他の加入者への干渉を低減することができる。
【００７６】
同じ原理に基づいて、２ビットのＡＣＫ信号を送信する必要がある２つの加入者の両方共が、また、同じ周波数領域シーケンス及び異なる時間領域シーケンスを占有するようスケジューリングされ得る。例えば、所与の時点で、基地局は、ＡＣＫ信号を同時に送信するよう２ビットのＡＣＫ信号を送信する必要がある加入者１及び加入者２の両方をスケジューリングし、時間領域シーケンス（１，１，１，１）を、加入者１の２ビットのＡＣＫ信号がサブベクトル（１，１）及び（１，１）を夫々占有するよう加入者１に割り当て、また、時間領域シーケンス（１，−１，１，−１）を、加入者２の２ビットのＡＣＫ信号がサブベクトル（１，−１）及び（１，−１）を夫々占有するよう加入者２に割り当ててよい。この場合に、また、加入者１及び加入者２のシーケンスは互いに直交することが確かにされ得る。加入者１及び加入者２のシーケンス割当ては、また、表４を参照して行われてもよい。
【００７７】
４×４アダマール行列に関して、本発明で提案される方法を用いながら直交性を確かにするよう、次の２つの場合が時間領域シーケンス及び周波数領域シーケンス割当てで考えられる必要がある。２ビットのＡＣＫ信号を送信する移動局及び１ビットのＡＣＫ信号を送信する１又は２の移動局は、表４に示される対応関係に従って同じ周波数領域シーケンス及び異なる時間領域シーケンスを占有するよう割り当てられる。また、２ビットのＡＣＫ信号を送信する移動局及び２ビットのＡＣＫ信号を送信する他方の移動局は、表４に示される対応関係に従って同じ周波数領域シーケンス及び異なる時間領域シーケンスを占有するよう割り当てられる。
【００７８】
上記のシーケンス割当規則に従って、以下、実際のシーケンス割当てについて一例として記載する。表５に示されるように、それは、目下ＡＣＫ信号を送信する必要がある移動局のリストを表す。表５で、最初の行の移動局２、３、５、６，・・・１８は１ビットのＡＣＫ信号を送信する必要があり、２番目の行の移動局１、４、７・・・１６は２ビットのＡＣＫ信号を送信する必要がある。
【表５】
2010045786.tif 000012
【００７９】
本発明で提案される伝送リソース割当手法に従って、表５に示される場合についての時間領域シーケンス及び周波数領域シーケンス割当ては、表６に表されている。表６で、移動局１、２及び３は、夫々１、２及び４のインデックスを有する（すなわち、表３における対応関係の最初の行に対応する）異なる時間領域シーケンスと、同じ周波数領域シーケンス１とを占有する。移動局５、４及び６は、夫々１、２及び３のインデックスを有する（すなわち、表３における対応関係の２番目の行に対応する）異なる時間領域シーケンスと、同じ周波数領域シーケンスとを占有する。他のシーケンスの割当ても表６に従って行われてよく、従ってここでは詳細に記載されない。
【表６】
2010045786.tif 000013
【００８０】
更に、システム内の或る移動局がより多くのビットのＡＣＫ信号を同時にフィードバックする必要がある場合に、提案される方法は他の方法と組み合わせて使用されてよい。例えば、４ビットのＡＣＫ信号をフィードバックするよう、４ビットのうちの各２ビットはＱＰＳＫシンボルに変調され、次いで、上記の方法に従って時間領域シーケンス及び周波数領域シーケンスを割り当てられる。更に、４ビットのうちの各２ビットは、また、１ビットにまとめられ、次いで、上記の方法に従って時間領域シーケンス及び周波数領域シーケンスを割り当てられてよい。これら２つの方法に加えて、他の同様の方法が、また、使用されてよく、ここでは詳細に記載されない。
【００８１】
図８は、上記の方法に従って２ビットのＡＣＫ信号を送信する処理フローを具体的に表す。図８に示されるように、ＡＣＫ信号送信のために基地局によって割り当てられる時間領域シーケンス及び周波数領域シーケンスがステップＳ８０１で受信され、次いで、送信される必要があるＡＣＫ信号の数がステップＳ８０２で決定される。
【００８２】
１ビットのＡＣＫ信号を送信する必要があるとステップＳ８０２で判断される場合は、処理ステップは、送信されるＡＣＫ信号の値を決定するステップＳ８１０へと進む。ＡＣＫ信号の値がＡＣＫである場合は、ステップＳ８１１でデータは送信されず、処理はステップＳ８０３に直接進んで終了する。送信されるＡＣＫ信号の値がＮＡＣＫであるとステップＳ８１０で判断される場合は、ＡＣＫ信号は、ステップＳ８１３で、基地局によって割り当てられた時間領域シーケンス及び周波数領域シーケンスを使用することによって、上記の解決法に従って送信され、次いで、処理はステップＳ８０３に進んで終了する。
【００８３】
２ビットのＡＣＫ信号を送信する必要があるとステップＳ８０２で判断される場合は、処理は、第１のＡＣＫ信号の値を決定するステップＳ８２０へと進む。第１のＡＣＫ信号の値がＡＣＫである場合は、ステップＳ８２１でデータは送信されず、処理はステップＳ８３０に直接進む。送信される必要がある第１のＡＣＫ信号の値がＮＡＣＫであるとステップＳ８２０で判断される場合は、ＡＣＫシーケンスは、ステップＳ８２３で、ＡＣＫ信号を送信するために最初の２つのＯＦＤＭシンボルを用いることによって送信され、次いで、処理はステップＳ８３０に進む。
【００８４】
ステップＳ８３０で、第２のＡＣＫ信号の値が決定される。第２のＡＣＫ信号の値がＡＣＫである場合は、ステップＳ８３１でデータは送信されず、処理はステップＳ８０３に直接進んで終了する。送信される第２のＡＣＫ信号の値がＮＡＣＫであるとステップＳ８３０で判断される場合は、対応するＡＣＫシーケンスが、ステップＳ８３３で、ＡＣＫ信号を送信するために最後の２つのＯＦＤＭシンボルを用いることによって送信され、次いで、処理はステップＳ８０３に進んで終了する。
【００８５】
従って、図８に示される方法に従って２ビットのＡＣＫ信号を送信する加入者に関して、基地局は、ＡＣＫ信号を受信するために、図９に示される受信方法を用いてよい。図９は、本発明の実施形態に従って２ビットのＡＣＫ信号を送信する移動局に対する基地局の受信処理に係るフローチャートを表す。
【００８６】
図９に示されるように、受信される４つのＯＦＤＭシンボルは２つの部分に分けられて、別々に受信され、移動局が送信した応答信号がＡＣＫ信号又はＮＡＣＫ信号のいずれであるかを判断するよう決定される。４つのＯＦＤＭシンボルが図４のステップＳ４１で処理されるのとは異なるように２つのシンボルがステップＳ９１１及びＳ９２１で夫々処理されることに加えて、残りのステップＳ９１２乃至Ｓ９１５並びにステップＳ９２２及びＳ９２５は夫々図４のステップＳ４２乃至Ｓ４５と同じであり、従って、その詳細な記載は簡潔さのために省略される。
【００８７】
また、留意すべきは、図９中の閾値は、単一ビットのＡＣＫ信号を受信するために図４で定義されたものより小さい点である。
【００８８】
更に、応答信号のための上記の伝送リソース割当方法に対応して、本発明は、また、応答信号のための伝送リソース割当装置として実施されてもよい。装置は、目下応答信号を送信する必要がある移動局のリストを決定するよう構成される構成要素と、各移動局によって送信される必要がある応答信号の数を決定するよう構成される構成要素と、応答信号を送信するよう各移動局について周波数領域シーケンス及び時間領域シーケンスを割り当てるよう構成される構成要素とを有する。同じ周波数領域シーケンスを割り当てられた複数の移動局について、複数の応答信号群を送信する必要がある移動局へ割り当てられる時間領域シーケンスは、この移動局の複数の応答信号群を送信するために夫々使用される複数のサブシーケンスに分けられ、これら複数のサブシーケンスに対応する異なる移動局の時間領域シーケンスの部分は夫々互いに直交する。
【００８９】
応答信号は、夫々、データパッケージの不成功の復号化又はデータパッケージの成功した復号化を表す。
【００９０】
更に、応答信号の上記のフィードバック方法に対応して、本発明は、また、応答信号のフィードバック装置として実施されてもよい。装置は、応答信号を送信するための周波数領域シーケンス及び時間領域シーケンスを決定するよう構成される構成要素と、応答信号を送信するために使用されることを許可される時間領域シーケンスのサブシーケンスを決定するよう構成される構成要素と、応答信号を送信するための周波数領域シーケンス及び決定されたサブシーケンスを用いることによって応答信号を送信するよう構成される構成要素とを有する。
【００９１】
同様に、応答信号の上記の処理方法に対応して、本発明は、また、応答信号の処理装置として実施されてもよい。装置は、応答信号の数を決定するよう構成される構成要素と、各応答信号に対応するＯＦＤＭシンボルを対応する時間領域シーケンスと関連付けるよう構成される構成要素と、対応する時間領域シーケンスとの関連付けの後に得られたシーケンスを、周波数領域で応答信号に対応する周波数領域シーケンスと関連付けるよう構成される構成要素と、応答信号の内容を決定するよう、周波数領域での関連付けの後に得られた相関値を所定の閾値と比較するよう構成される構成要素とを有する。
【００９２】
周波数領域シーケンスは、異なる周期時間シフトを有するＣＡＺＡＣシーケンスを有し、時間領域シーケンスは、離散フーリエ変換（ＤＦＴ（Discrete  Fourier  Transform））シーケンス、ＣＡＺＡＣシーケンス、又はアダマール行列のベクトルを有する。ＣＡＺＡＣシーケンスは、ＺＣシーケンス又はＧＣＬシーケンスを有する。
【００９３】
本発明に従う応答信号のための伝送リソース割当装置、フィードバック装置及び処理装置は、本発明の夫々の目的及び技術的効果を達成するように、応答信号のための対応する伝送リソース割当方法、フィードバック方法及び処理方法の上記の詳細な記載に従って、夫々の機能を実施することができる。
【００９４】
ここまで本発明の原理について実施形態に関連して記載してきたが、本発明の方法及び装置のステップ又は構成要素は如何なる計算装置（プロセッサ又は記憶媒体等を含む。）又は計算装置のネットワークでもハードウェア、ファームウェア、ソフトウェア又はそれらの組合せにより実施されてよいことは、当業者が考え得ることである点に留意すべきである。これらは、プログラミング技術とともに本発明の記載を読むことによって当業者により実施され得る。従って、その詳細な記載はここでは省略される。
【００９５】
従って、上記の理解に基づいて、本発明の目的は、また、何らかの情報処理装置でプログラム又はプログラム群を実行することによって達成されてもよい。情報処理装置は、よく知られている汎用の装置であってもよい。従って、本発明の目的は、また、本発明の方法又は装置を実施するためのプログラム符号を有するプログラムプロダクトのみを提供することによっても達成され得る。すなわち、このようなプログラムプロダクトは、また、本発明を形成し、このようなプログラムプロダクトを記憶する記憶媒体は、また、本発明を形成する。記憶媒体がよく知られている又は開発されるべき如何なる記憶媒体であってもよいことは明らかである。従って、ここで様々な記憶媒体を列挙することは必要ない。
【００９６】
本発明の装置及び方法で、構成要素及びステップが分解及び／又は再結合をされ得ることは明らかである。このような分割及び／又は再結合は、本発明の等価な解決法として考えられるべきである。更に、上記の一連の処理を実行するステップは、記載されるシーケンスに従って又は時間の順序に従って当然に実行されてよいが、必ずしも時間の順序に従って実行される必要はない。ステップの幾つは、互いに並行して又は互いに別々に実行されてよい。
【００９７】
以上、本発明の好ましい実施形態について記載してきた。当業者には当然ながら、本発明の保護範囲はここに開示されている詳細に限定されず、本発明の精神及び適用範囲から外れることなく様々な変形例及び同等物が存在しうる。
【００９８】
以上の実施形態に関し、更に以下の付記を開示する。
【００９９】
（付記１）  応答信号のための伝送リソース割当方法であって、
目下応答信号を送信する必要がある移動局のリストを決定するステップと、
各移動局によって送信される必要がある応答信号の数を決定するステップと、
前記応答信号を送信するよう各移動局について周波数領域シーケンス及び時間領域シーケンスを割り当てるステップと
を有し、
同じ周波数領域シーケンスを割り当てられた複数の移動局について、
複数の応答信号群を送信する必要がある移動局へ割り当てられている時間領域シーケンスは、当該移動局の前記複数の応答信号群を夫々送信するために使用される複数のサブシーケンスに分割され、
前記複数のサブシーケンスに対応する異なる移動局の時間領域シーケンスの部分は、夫々互いに直交する、方法。
（付記２）  前記周波数領域シーケンスは、異なる周期時間シフトを有するＣＡＺＡＣシーケンスを有する、付記１記載の方法。
（付記３）  前記時間領域シーケンスは、離散フーリエ変換（ＤＦＴ）シーケンス、ＣＡＺＡＣシーケンス、又はアダマール行列のベクトルを有する、付記１記載の方法。
（付記４）  前記同じ周波数領域シーケンスを割り当てられた移動局が、２ビットの応答信号を含む１つの応答信号群を有する第１の移動局と、夫々１ビットの応答信号を有する第２及び第３の移動局とを有する場合に、
前記時間領域シーケンスは、４×４のアダマール行列
【数６】
2010045786.tif 000014
からであり、
前記アダマール行列のいずれかの行ベクトルを前記第１の移動局へ割り当てると、当該行ベクトルの第１のハーフサブベクトルは前記第１の移動局の前記応答信号群にある応答信号の第１ビットへ割り当てられ、当該行ベクトルの第２のハーフサブベクトルは該応答信号の第２ビットへ割り当てられ、
前記第１の移動局へ割り当てられた前記行ベクトルとは異なる前記アダマール行列の行ベクトルを前記第２の移動局へ割り当てると、該第２の移動局へ割り当てられた当該行ベクトルの第１及び第２のハーフサブベクトルは、夫々、前記第１の移動局へ割り当てられた前記行ベクトルの対応する部分に直交し、
前記第１の移動局及び前記第２の移動局へ割り当てられた前記行ベクトルとは異なる前記アダマール行列の行ベクトルを前記第３の移動局へ割り当てると、該第３の移動局へ割り当てられた当該行ベクトルの第１及び第２のハーフサブベクトルは、前記第１の移動局へ割り当てられた前記行ベクトルの対応する部分に直交する、付記１記載の方法。
（付記５）  前記同じ周波数領域シーケンスを割り当てられた移動局が、２ビットの応答信号を含む１つの応答信号群を有する第１の移動局と、２ビットの応答信号を含む１つの応答信号群を有する第２の移動局とを有する場合に、
前記時間領域シーケンスは、４×４のアダマール行列
【数７】
2010045786.tif 000015
からであり、
前記アダマール行列のいずれかの行ベクトルを前記第１の移動局へ割り当てると、当該行ベクトルの第１のハーフサブベクトルは前記第１の移動局の前記応答信号群にある応答信号の第１ビットへ割り当てられ、当該行ベクトルの第２のハーフサブベクトルは該応答信号の第２ビットへ割り当てられ、
前記第１の移動局へ割り当てられた前記行ベクトルとは異なる前記アダマール行列の他の行ベクトルを前記第２の移動局へ割り当てると、当該他の行ベクトルの第１のハーフサブベクトルは前記第２の移動局の前記応答信号群にある応答信号の第１ビットへ割り当てられ、当該他の行ベクトルの第２のハーフサブベクトルは該応答信号の第２ビットへ割り当てられ、当該他の行ベクトルの前記第１及び第２のハーフサブベクトルは、前記第１の移動局へ割り当てられた前記行ベクトルの対応する部分に直交する、付記１記載の方法。
（付記６）  １よりも多い応答信号を含む応答信号群の応答信号に対して変調を行うステップと、
変調された前記応答信号を、対応する周波数領域シーケンス及び時間領域シーケンスへマッピングするステップと
を更に有する付記１記載の方法。
（付記７）前記応答信号は、データパッケージの成功した復号化を表す信号又は該データパッケージの不成功の復号化を表す信号である、付記１乃至６のうちいずれか１つに記載の方法。
（付記８）  １つの応答信号群を有する移動局がオン−オフ・キーイングにより前記応答信号を送信する場合に、
前記応答信号群に含まれる応答信号のいずれかのビットがデータパッケージの成功した復号化を表すならば、前記応答信号の当該いずれかのビットを送信するためにデータは対応する２つのＯＦＤＭシンボルで送信されず、
前記応答信号群に含まれる応答信号のいずれかのビットが前記データパッケージの不成功の復号化を表すならば、割り当てられている前記周波数領域シーケンス及び前記時間領域シーケンスのサブベクトルに従って前記応答信号の当該いずれかのビットを送信するためにデータは前記２つのＯＦＤＭシンボルで送信される、付記７記載の方法。
（付記９）  前記応答信号を送信する必要がある全ての移動局にシーケンスを割り当てる場合に、前記時間領域シーケンスは各移動局へ等しく割り当てられ、各時間領域シーケンスは実質上同じ時間に割り当てられる、付記８記載の方法。
（付記１０）  応答信号のフィードバック方法であって、
応答信号を送信するために周波数領域シーケンス及び時間領域シーケンスを決定するステップと、
前記時間領域シーケンスで前記応答信号を送信するために使用されることを許可されるサブシーケンスを決定するステップと、
前記応答信号を送信するための前記周波数領域シーケンス及び前記決定されたサブシーケンスを使用することによって前記応答信号を送信するステップと
を有する方法。
（付記１１）  データパッケージの不成功の復号化を表す信号を決定するステップを更に有し、
前記応答信号の送信において、該応答信号を送信するための前記周波数領域シーケンス及び前記決定されたサブシーケンスは、前記データパッケージの前記不成功の復号化を表す前記信号のみを送信するために使用される、付記１０記載の方法。
（付記１２）  前記応答信号を複数の応答信号群にグループ化するステップを更に有し、
前記応答信号群の数は、前記応答信号を送信するために使用されることを許可される前記時間領域シーケンスの前記サブシーケンスの数に等しく、
前記応答信号の送信において、前記複数の応答信号群は、異なるサブシーケンス及び周波数領域シーケンスを使用することによって送信される、付記１１記載の方法。
（付記１３）  １よりも多い応答信号を有する前記応答信号群の応答信号に対して変調を行うステップと、
前記変調された信号を、対応する周波数領域シーケンス及び時間領域シーケンスへマッピングするステップと
を更に有する付記１２記載の方法。
（付記１４）  前記周波数領域シーケンスは、異なる周期時間シフトを有するＣＡＺＡＣシーケンスを有する、付記１０記載の方法。
（付記１５）  前記時間領域シーケンスは、離散フーリエ変換（ＤＦＴ）シーケンス、ＣＡＺＡＣシーケンス、又はアダマール行列のベクトルを有する、付記１０記載の方法。
（付記１６）  １つの応答信号群を有する移動局がオン−オフ・キーイングにより前記応答信号を送信する場合に、
前記応答信号群に含まれる応答信号のいずれかのビットがデータパッケージの成功した復号化を表すならば、前記応答信号の当該いずれかのビットを送信するためにデータは対応する２つのＯＦＤＭシンボルで送信されず、
前記応答信号群に含まれる応答信号のいずれかのビットが前記データパッケージの不成功の復号化を表すならば、割り当てられている前記周波数領域シーケンス及び前記時間領域シーケンスのサブベクトルに従って前記応答信号の当該いずれかのビットを送信するためにデータは前記２つのＯＦＤＭシンボルで送信される、付記１０乃至１５のうちいずれか一項記載の方法。
（付記１７）  応答信号の処理方法であって、
前記応答信号の数を決定するステップと、
各応答信号に対応するＯＦＤＭシンボルを対応する時間領域シーケンスと関連付けるステップと、
前記対応する時間領域シーケンスとの関連付けの後に得られるシーケンスを、周波数領域で前記応答信号に対応する周波数領域シーケンスと関連付けるステップと、
前記応答信号の内容を決定するよう、前記周波数領域での関連付けの後に得られる相関値を所定の閾値と比較するステップと
を有する方法。
（付記１８）  前記応答信号は、複数ビットの応答信号に対して変調を行って、この変調された信号を対応する周波数領域シーケンス及び時間領域シーケンスにマッピングすることによって得られる信号である、付記１７記載の方法。
（付記１９）  前記周波数領域シーケンスは、異なる周期時間シフトを有するＣＡＺＡＣシーケンスを有する、付記１７記載の方法。
（付記２０）  前記時間領域シーケンスは、離散フーリエ変換（ＤＦＴ）シーケンス、ＣＡＺＡＣシーケンス、又はアダマール行列のベクトルを有する、付記１７記載の方法。
【符号の説明】
【０１００】
ＡＣＫ，ＮＡＣＫ  応答信号
ｐ（ｎ）  周波数領域シーケンス
ｗｉ（ｉ＝０，１，２・・）  時間領域シーケンス
【図１】
2010045786.tif 000018
【図２】
2010045786.tif 000019
【図３】
2010045786.tif 000020
【図４】
2010045786.tif 000021
【図５】
2010045786.tif 000022
【図６】
2010045786.tif 000023
【図７】
2010045786.tif 000024
【図８】
2010045786.tif 000025
【図９】
2010045786.tif 000026